(57)【要約】      （修正有）【課題】手軽に文字列を形成してエクステリアやインテリアに用いることが可能なコンクリート製の文字付きブロックを提供する。【解決手段】ブロック１の前面２には、文字３が凹設されている。前面２と、上面９、下面１０、側面４、及び、側面８との間の角部１１は、欠け防止のために面取りされて、テーパ面とされている。ブロック１の側面４には、凹部５が設けられている。凹部５は、側面視において、側面４の外周がなす略正方形状よりも一回り小さい一辺が約６０ｍｍの略正方形状をなしている。凹部５の周壁部５ａは、凹部５の底部５ｂに向かって窄まるテーパ面とされている。【選択図】図１
0003134698.tif 000002
【実用新案登録請求の範囲】
【請求項１】
コンクリート製で、略直方体状に形成され、前面に文字が１つだけ凹設されていることを特徴とする文字付きブロック。
【請求項２】
略立方体状に形成されていることを特徴とする請求項１記載の文字付きブロック。
【請求項３】
後面にも文字が１つだけ凹設されていることを特徴とする請求項１または２記載の文字付きブロック。
【請求項４】
一方の側面に凹部が設けられていることを特徴とする請求項１、２または３記載の文字付きブロック。
【請求項５】
上下方向に貫通する孔が設けられていることを特徴とする請求項１、２、３または４記載の文字付きブロック。
【考案の詳細な説明】
【技術分野】
【０００１】
本考案は、エクステリアやインテリアに利用されるコンクリート製の文字付きブロックに関し、特に、複数個を組み合わせることにより文字列を形成可能なコンクリート製の文字付きブロックに関する。
【背景技術】
【０００２】
従来、塀を構成するコンクリート製ブロックや、玄関先の花壇の縁を構成するコンクリート製ブロックに、表札代わりの名前や歓迎の言葉等の文字列を付したい場合、文字列をブロックに直接彫り付けていた。また、近年、コンクリート製ブロックをインテリアに用いることも多くなっているが、かかるブロックに文字列を付したい場合も、文字列をブロックに直接彫り付けていた。
【考案の開示】
【考案が解決しようとする課題】
【０００３】
しかし、コンクリートを彫ることは一般ユーザには困難であるため、手軽に文字列を形成してエクステリアやインテリアに用いることができないという問題があった。
【０００４】
この考案は、上述した問題を解決するものであり、手軽に文字列を形成してエクステリアやインテリアに用いることが可能なコンクリート製の文字付きブロックを提供することを目的とする。
【課題を解決するための手段】
【０００５】
本考案の文字付きブロックは、コンクリート製で、略直方体状に形成され、前面に文字が１つだけ凹設されていることを特徴とする。
【０００６】
ここで、本考案の文字付きブロックは、略立方体状に形成されていることが好ましい。
【０００７】
また、後面にも文字が１つだけ凹設されていることとしてもよい。
【０００８】
また、一方の側面に凹部が設けられていることとしてもよい。
【０００９】
また、上下方向に貫通する孔が設けられていることとしてもよい。
【考案の効果】
【００１０】
本考案の文字付きブロックは、前面に文字が１つだけ凹設されているので、複数個を組み合わせることにより、手軽に文字列を形成してインテリアやエクステリアに用いることができる。
【００１１】
また、本考案の文字付きブロックを略立方体状とすれば、前面を正面にする代わりに側面を正面にしても幅が変わらない。このため、側面に文字が設けられていない場合には、文字のない部分を形成するのに側面を用いることができ、側面にも文字が設けられている場合には、前面を正面にしたり側面を正面にしたりすることにより異なる文字列を形成することができ、利便性が向上する。
【００１２】
また、後面にも文字を１つだけ凹設すれば、背面側にも文字列を形成できたり、後面を正面にすることで異なる文字列を形成できたりして、利便性が向上する。
【００１３】
また、一方の側面に凹部を設ければ、隣接するブロックの側面同士を接着する場合に、その凹部に接着剤を入れれば、外部から接着剤が見えないようにブロック同士を接着可能であり、見た目の良いブロック列を作成可能である。
【００１４】
また、上下方向に貫通する孔を設ければ、文字付きブロックをブロック塀に用いる場合に、その孔に鉄筋を挿通することができ、文字付きブロックの部分の強度を高めることができる。
【考案を実施するための最良の形態】
【００１５】
本考案の第１実施形態である文字付きブロック１（以下、「ブロック１」と略す。）について、図面に基づいて説明する。図１及び図２に示すように、ブロック１は、コンクリート製で、一辺が約８０ｍｍの非中空の略立方体状に形成されている。
【００１６】
図１に示すように、ブロック１の前面２には、文字３が凹設されている。前面２と、上面９、下面１０、側面４、及び、側面８との間の角部１１は、欠け防止のために面取りされて、テーパ面とされている。
【００１７】
ブロック１の側面４には、凹部５が設けられている。凹部５は、側面視において、側面４の外周がなす略正方形状よりも一回り小さい略正方形状（一辺が約６０ｍｍの略正方形状）をなしている。凹部５の周壁部５ａは、凹部５の底部５ｂに向かって窄まるテーパ面とされている。
【００１８】
図２に示すように、ブロック１の後面６には、文字７が凹設されている。文字７は文字３とは異なる文字とされているが、勿論、同じ文字であってもよい。後面６と、上面９、下面１０、側面４、及び、側面８との間の角部１２は、欠け防止のために面取りされて、テーパ面とされている。
【００１９】
上面９、下面１０、及び、側面８は、それぞれ平面状とされている。
【００２０】
ブロック１の製造方法について、次に説明する。ブロック１は、廃棄鋳物砂とポルトランドセメントと骨材とを配合したコンクリートを、金属製の型枠に流し込んで固化することにより製造する。廃棄鋳物砂を利用するのは、廃棄物を減量して環境保全を図るためであるが、勿論、上述したもの以外のコンクリートを用いてもよい。なお、廃棄鋳物砂は、安全性の向上のために、珪酸系鋳物砂に含まれている珪酸ソーダを過熱昇華により除去したものを用いる。
【００２１】
型枠は、前壁部と後壁部と両側壁部と下壁部とを有して、上方に開放された箱型をなしている。型枠の前壁部と後壁部とは、複数個のブロック１を一度に作成可能なように、それぞれ複数枚（例えば５個のブロック１を一度に作成する場合には５枚）の文字付き板で構成されている。各文字付き板は、鋳物製で、左右が逆転した所謂鏡文字が１つだけ浮き出した面を有する。各文字付き板は交換可能であり、鏡文字が浮き出した面を、その鏡文字が上下逆になるように内側に向けて用いる。また、型枠の一方の側壁部には、凹部５に対応した凸部が内側の面に形成された板を用いる。型枠の他方の側壁部及び下壁部には、それぞれ、内側の面が平面状のものを用いる。
【００２２】
そして、これら前壁部、後壁部、両側壁部、及び、下壁部で囲まれた型枠内部を、仕切り板で区切る。例えば５個のブロック１を一度に作成する場合には、４枚の仕切り板で区切る。各仕切り板は、一方の面に凹部５に対応した凸部が形成され、他方の面は平面状とされている。
【００２３】
かかる型枠内部にコンクリートを流し込み固化した後、型枠を取り外す。なお、型枠の下壁部に接していた面が、各ブロック１の上面９となる。各ブロック１の下面１０は、型枠に接していないため、平滑にするための仕上げを行うが、若干のザラツキを残す。下面１０を接着面とした場合に、接着剤が下面１０の細かい凹凸に入り込むため、接着強度が向上するからである。
【００２４】
この製造方法では、文字付き板の作成が必要であるが、文字付き板は繰り返し使用可能であるため、ブロック１を安価なコンクリートで量産できることとなり、安価なブロック１を提供可能となる。
【００２５】
ブロック１の使用例について、次に説明する。図３は、ブロック１をブロック塀１３の上に配置した例である。ここでは、６個のブロック１を用いて「ＮＡＧＡＴＡ」という表札代わりの文字列を形成している。また、文字列を形成しているブロック１の両側には、側面８を正面に向けたブロック１を配置している。隣接するブロック１同士は、コンクリート用接着剤で接着するが、前面２または後面６が正面を向いている（すなわち、文字面が正面を向いている）ブロック１では、側面４の凹部５に接着剤を入れ、側面８が正面を向いているブロック１では、前面２の文字３及び後面６の文字７の部分に接着剤を入れて、隣接するブロック１と接着する。このように、凹んだ部分に接着剤を入れられるので、接着剤が外部から見えず、見た目の良いブロック１の列を構成できる。また、各ブロック１の下面１０に接着剤を塗布し、その下のブロック塀１３と接着する。図３中左端のブロック１とその左の門柱１４も、左端のブロック１の前面２の文字３の部分に接着剤を入れて、接着する。
【００２６】
図４は、ブロック１を駐車スペースのコンクリート製床面上に並設して「ＮＡＧＡＴＡ」という文字列を形成し、車止めとして使用した例を示す。各ブロック１は、コンクリート用接着剤で、隣接するもの同士が接着されるとともに、コンクリート製床面に下面１０が接着されている。各ブロック１は、前面２に文字３が凹設されるとともに、後面６に文字７が凹設されており、例えば、図４中符号１ａが付されたブロック１は、前面２に「Ｎ」、後面６に「Ａ」が凹設されている。このように、前面２のみならず後面６にも文字７を１つだけ凹設すれば、適当な組合せの文字を有するブロック１を選択することにより、ブロック１の列の正面側と背面側とに、それぞれ文字列を作成することができる。また、後面６の文字７も文字列に使用できるので、同じ複数個のブロック１で、形成できる文字列の種類が多くなり、便利である。
【００２７】
このように、ブロック１によれば、複数個を組み合わせることにより手軽に文字列を形成して、エクステリアやインテリアに用いることができる。また、ブロック１は、コンクリート製で安価に作成できるため、工事を行う者等に依頼して文字列を直接ブロックに彫り付けるよりも、低コストで文字列の形成が可能である。
【００２８】
また、ブロック１は略立方体状であるので、前面２を正面にする代わりに側面８を正面にしても幅が変わらない。このため、文字のない部分を形成するのに側面８を用いることができ、便利である。
【００２９】
次に、本考案の第２実施形態である文字付きブロック２０（以下、「ブロック２０」と略す。）について、図面に基づいて説明するが、ブロック１の構成要素と同様の構成要素についてはブロック１と同じ符号を用いて、その説明を適宜省略する。
【００３０】
図５及び図６に示すように、ブロック２０には、直径約５０ｍｍの孔２１が、ブロック２０の中心部を通って、上下方向に貫通するように設けられている。孔２１の上端は、上面９の中央部に開口し、孔２１の下端は、下面１０の中央部に開口している。ブロック２０は、孔２１が設けられている点以外は、ブロック１と同様の構成とされている。
【００３１】
ブロック２０を製造するときは、上述した型枠の下壁部に、孔２１を形成するための円柱部または円筒部を立設するが、かかる点以外は、ブロック２０はブロック１と同様に製造する。
【００３２】
ブロック２０の使用例について、次に説明する。図７は、花壇の縁にブロック２０を使用した例である。ここでは、３個のブロック２０と４個のブロック１とで「ＷＥＬＣＯＭ」という文字列を形成し、その両側にはブロック１の側面８を正面に向けたものを配置している。各ブロック１、２０は土の上に置かれ、隣接するブロック１、２０同士は、コンクリート用接着剤で接着されている。そして、各ブロック２０の孔２１に土を入れ、植物２２を植えている。なお、図７のように花壇の縁として積層せずに用いるような場合には、ブロック１、２０を接着しなくてもよい。接着しなければ、ブロック１、２０の配置替えや交換が容易となる。
【００３３】
このように、ブロック２０を花壇の縁に用いて孔２１に植物を植えれば、花壇自体に植えられた植物と相まって、デザイン性に富んだ花壇を作ることができる。また、ブロック２０自体をミニ花壇として使用することもできる。
【００３４】
図８は、ブロック２０を単体でハイドロカルチャーに用いた例であり、ブロック２０の中に植物栽培用のポット２５を入れて、ポット２５内にハイドロボール２４を入れ、植物２３を植えたものである。なお、図示してはいないが、ブロック２０の下には、水受け用の皿を敷く。ブロック２０はコンクリート製で保温性に優れているので、低温に弱い植物の栽培に適しており、ハイドロカルチャーに向いている。
【００３５】
また、ブロック２０は、図３のブロック１と同様にブロック塀の上に配置したり、ブロック塀の途中に組み込んだりする等、ブロック塀に用いることも勿論可能である。ブロック２０をブロック塀に用いる場合には、ブロック塀に挿通される鉄筋をブロック２０の孔２１にも挿通すれば、ブロック２０の部分の強度を高めることができる。
【００３６】
このように、ブロック２０によっても、手軽にかつ安価に文字列を形成してエクステリアやインテリアに用いることができる。
【００３７】
なお、ブロック１、２０は、いずれも一辺が約８０ｍｍの略立方体状としたが、大きさはこれに限るものではなく、例えば、一辺が約１００ｍｍの略立方体状としてもよい。但し、文字の識別し易さ及び扱い易さという点からは、一辺の長さを約７０ｍｍ〜３００ｍｍとすることが好ましい。
【００３８】
次に、本考案の第３実施形態の文字付きブロック３０（以下、「ブロック３０」と略す。）を、図９に示す。ブロック３０は、略直方体状とされている点以外は、ブロック１と同様に構成されている。ブロック３０では、ブロック１の構成要素と同様の構成要素についてはブロック１と同じ符号を用い、その説明を省略する。かかるブロック３０によっても、手軽にかつ安価に文字列を形成してエクステリアやインテリアに用いることができる。なお、ブロック３０においても、ブロック２０と同様に孔２１を設ける構成としてもよい。また、前面２は、文字の識別し易さ及び扱い易さという点からは、一辺の長さを約７０ｍｍ〜３００ｍｍとすることが好ましい。例えば、ブロック３０を、前面２及び後面６を一辺が約３００ｍｍの略正方形状とし、厚み（すなわち、側面４及び側面８の上辺及び下辺の長さ）を約５０ｍｍとしたプレート状としてもよい。
【００３９】
また、図９のブロック３０では、文字３を平仮名としている。このように、文字３や文字７は、英文字に限らず、平仮名、片仮名、数字等であってもよい。また、文字３や文字７に、塗料を塗布すること等により、色を付ける形態としてもよい。
【００４０】
また、ブロック１、２０、３０において、前面２にのみ文字を凹設したり、前面２と後面６と側面８とに文字を凹設したりしてもよい。側面８に文字を設ければ、側面８を正面にすることにより異なる文字列を形成することができる。また、凹部５を設けずに側面４に文字を凹設してもよい。凹部５の代りに、文字の部分に接着剤を入れればよいからである。
【００４１】
また、孔２１は、ブロック２０の中心部を通って１つだけ設けたが、ブロック３０のように横長の略直方体状である場合等には、孔２１を複数設けてもよい。
【００４２】
また、凹部５が正面や背面に現れる場合や、図４に示すように凹部５が端面に現れる場合には、凹部５にアクリルプレート等のプレートを嵌合・接着して、装飾性や表示性を持たせることも可能である。
【００４３】
すなわち、実用新案登録請求の範囲を逸脱しない範囲で、本考案は種々の構成を採り得る。
【図面の簡単な説明】
【００４４】
【図１】本考案の第１実施形態に係るブロックの斜視図である。
【図２】図１のブロックを反対側から見た斜視図である。
【図３】第１実施形態に係るブロックをブロック塀に用いた正面図である。
【図４】第１実施形態に係るブロックを車止めに用いた斜視図であり、（ａ）は正面側左上方から（ｂ）は背面側右上方から見た斜視図である。
【図５】本考案の第２実施形態に係るブロックの斜視図である。
【図６】図５のＶＩ−ＶＩ部位断面図である。
【図７】第２実施形態に係るブロックを花壇の縁に用いた正面図である。
【図８】第２実施形態に係るブロックをハイドロカルチャーに用いた斜視図である。
【図９】第３実施形態に係るブロックの斜視図である。
【符号の説明】
【００４５】
１、２０、３０…ブロック
２…前面
３、７…文字
４…側面
５…凹部
６…後面
２１…孔
【図１】
0003134698.tif 000003
【図２】
0003134698.tif 000004
【図３】
0003134698.tif 000005
【図４】
0003134698.tif 000006
【図５】
0003134698.tif 000007
【図６】
0003134698.tif 000008
【図７】
0003134698.tif 000009
【図８】
0003134698.tif 000010
【図９】
0003134698.tif 000011